(57)【特許請求の範囲】
【請求項１】
第一ボディーを含み、前記第一ボディーの後端壁には第一スライド溝が形成され、
前記第一スライド溝の中には第一スライドブロックがスライドできるように設けられ、前記第一スライドブロックの底端面には第二ボディーが固定的に設けられ、前記第二ボディーの中には伝動空間が設けられ、前記伝動空間の中には歯車の噛み合いによって本願発明の作動位置を制御する制御機構が設けられ、前記伝動空間の後端壁には第一モーターが固定的に設けられ、前記第一モーターの前端面には第一回転軸が固定的に設けられ、前記第一回転軸の前端壁には位置制限溝が固定的に形成され、前記位置制限溝の中には第二回転軸がスライドできるように設けられ、前記位置制限溝の中に位置する前記第二回転軸には位置制限ブロックが固定的に設けられ、前記伝動空間の中の後端面の右側には固定ブロックが固定的に設けられ、前記固定ブロックの中には第二スライド溝が形成され、前記第二スライド溝の中には第二スライドブロックがスライドできるように設けられ、前記第一ボディーの左端壁には第一開口溝が形成され、前記第二スライドブロックが前記第一開口溝の中に延びており、前記固定ブロックの左端壁には第三スライド溝が形成され、前記第三スライド溝の中には第三スライドブロックがスライドできるように設けられ、前記第三スライドブロックの中には右方へ開口した第二開口溝が形成され、前記第二スライドブロックの左端の傾斜面は前記第二開口溝の中に伸びることができ、前記第三スライドブロックの後端面と前記伝動空間の後端面との間には第一ばねが連結され、前記第三スライドブロックの左端面には凹み溝が固定的に形成され、前記伝動空間の中に位置する前記第二回転軸には協働輪が固定的に設けられ、前記協働輪が前記凹み溝と連結され、前記第一開口溝の上側には傾斜ブロックが固定的に設けられ、
前記第二ボディーの上表面には作業ブロックがスライドできるように設けられ、前記作業ブロックの中には後方へ開口した接続空間が左右対称に設けられ、左側の前記接続空間を例として、前記接続空間の中にはケーブルを接続できる接続機構がスライドできるように設けられ、前記接続空間の左端壁には第二モーターが固定的に設けられ、前記第二モーターの左端面には第三回転軸が回転できるように設けられ、前記接続空間の中の前記第三回転軸にはリールが固定的に設けられ、前記接続空間の後側には挟み取りブロックがスライドできるように設けられ、前記挟み取りブロックの後端には第三開口溝が形成され、前記第三開口溝には第四回転軸が左右対称に設けられ、前記第四回転軸には第一歯車が固定的に設けられ、前記第三開口溝の中において前記第四回転軸の間には第四スライド溝が形成され、前記第四スライド溝の中には第四スライドブロックがスライドできるように設けられ、前記第四スライドブロックには制御ブロックが固定的に設けられ、前記制御ブロックには前記第一歯車と噛み合っているラックが固定的に設けられていることを特徴とするメインフレームサーバーケーブル接続設備。
【請求項２】
前記制御機構は前記伝動空間を含み、前記伝動空間の中にある前記第二回転軸において前記協働輪の前側には第一傘歯車が設けられ、前記第二回転軸において前記第一傘歯車の前側には第二歯車が固定的に設けられ、前記第一ボディーの前端壁には第一ラック溝が固定的に形成され、前記伝動空間の前端壁には第五回転軸が回転できるように設けられ、前記第五回転軸の前部には第三歯車が固定的に設けられ、前記第三歯車が前記第一ラック溝と噛み合っていることを特徴とする請求項１に記載のメインフレームサーバーケーブル接続設備。
【請求項３】
前記第五回転軸の後端には第四歯車が固定的に設けられ、前記第四歯車が前記第二歯車と噛み合っており、前記伝動空間の左端壁には第六回転軸が回転できるように設けられ、前記第六回転軸の左端には第五歯車が固定的に設けられ、前記作業ブロックの左側底端面には第二ラック溝が固定的に形成され、前記第五歯車が前記第二ラック溝と噛み合っており、前記第六回転軸の右端には第二傘歯車が固定的に設けられ、前記第二傘歯車が前記第一傘歯車と噛み合っていることを特徴とする請求項２に記載のメインフレームサーバーケーブル接続設備。
【請求項４】
前記接続機構は、前記第三開口溝を含み、前記第三開口溝の後端には外部接続ブロックが固定的に設けられ、前記外部接続ブロックと前記制御ブロックとの間には第二ばねが連結され、前記挟み取りブロックの前部には第五スライド溝が形成され、前記第五スライド溝の中には第五スライドブロックがスライドできるように設けられ、前記第五スライドブロックと前記制御ブロックとの間には連結ロッドが固定的に設けられていることを特徴とする請求項１に記載のメインフレームサーバーケーブル接続設備。
【請求項５】
前記第五スライド溝の前部には阻みブロックが固定的に設けられ、前記第五スライドブロックと前記リールとの間には線が設けられ、前記第一歯車の後側には曲がりロッドが固定的に連結され、前記曲がりロッドの後端には挟みブロックが固定的に設けられていることを特徴とする請求項４に記載のメインフレームサーバーケーブル接続設備。
【発明の詳細な説明】
【技術分野】
【０００１】
本発明はコンピューター分野に関し、具体的にはメインフレームサーバーケーブル接続設備である。
【背景技術】
【０００２】
周知のように、メインフレームはコンピューターの一種であり、商用大型サーバーとして、今でも多く使用されている。メインフレームは、一般的に大型事務処理システムに使用され、特に宇宙船の軌道計算などの超大規模な計算に適するため、多くの国でまだ開発されている。しかし、メインフレームのサーバーは一般的に複数のメインフレームから構成されるため、メインフレームの間のケーブル接続が大規模な仕事であり、人力での接続は時間と力がかかる。従って、メインフレームサーバーケーブル接続設備を設計し上記の問題を解決する必要がある。
【先行技術文献】
【特許文献】
【０００３】
【特許文献１】中国特許出願公開第１０６４０６４６２号明細書
【発明の概要】
【発明が解決しようとする課題】
【０００４】
技術問題：自動的にサーバーの間にケーブルを接続できる高効率で一体化で、反応が速く、機能が豊かなメインフレームサーバーケーブル接続設備を提供する。
【課題を解決するための手段】
【０００５】
本願発明であるメインフレームサーバーケーブル接続設備は、第一ボディーを含み、前記第一ボディーの後端壁には第一スライド溝が形成され、
前記第一スライド溝の中には第一スライドブロックがスライドできるように設けられ、前記第一スライドブロックの底端面には第二ボディーが固定的に設けられ、前記第二ボディーの中には伝動空間が設けられ、前記伝動空間の中には歯車の噛み合いによって本願発明の作動位置を制御する制御機構が設けられ、前記伝動空間の後端壁には第一モーターが固定的に設けられ、前記第一モーターの前端面には第一回転軸が固定的に設けられ、前記第一回転軸の前端壁には位置制限溝が固定的に形成され、前記位置制限溝の中には第二回転軸がスライドできるように設けられ、前記位置制限溝の中に位置する前記第二回転軸には位置制限ブロックが固定的に設けられ、前記伝動空間の中の後端面の右側には固定ブロックが固定的に設けられ、前記固定ブロックの中には第二スライド溝が形成され、前記第二スライド溝の中には第二スライドブロックがスライドできるように設けられ、前記第一ボディーの左端壁には第一開口溝が形成され、前記第二スライドブロックが前記第一開口溝の中に延びており、前記固定ブロックの左端壁には第三スライド溝が形成され、前記第三スライド溝の中には第三スライドブロックがスライドできるように設けられ、前記第三スライドブロックの中には右方へ開口した第二開口溝が形成され、前記第二スライドブロックの左端の傾斜面は前記第二開口溝の中に伸びることができ、前記第三スライドブロックの後端面と前記伝動空間の後端面との間には第一ばねが連結され、前記第三スライドブロックの左端面には凹み溝が固定的に形成され、前記伝動空間の中に位置する前記第二回転軸には協働輪が固定的に設けられ、前記協働輪が前記凹み溝と連結され、前記第一開口溝の上側には傾斜ブロックが固定的に設けられ、
前記第二ボディーの上表面には作業ブロックがスライドできるように設けられ、前記作業ブロックの中には後方へ開口した接続空間が左右対称に設けられ、左側の前記接続空間を例として、前記接続空間の中にはケーブルを接続できる接続機構がスライドできるように設けられ、前記接続空間の左端壁には第二モーターが固定的に設けられ、前記第二モーターの左端面には第三回転軸が回転できるように設けられ、前記接続空間の中の前記第三回転軸にはリールが固定的に設けられ、前記接続空間の後側には挟み取りブロックがスライドできるように設けられ、前記挟み取りブロックの後端には第三開口溝が形成され、前記第三開口溝には第四回転軸が左右対称に設けられ、前記第四回転軸には第一歯車が固定的に設けられ、前記第三開口溝の中において前記第四回転軸の間には第四スライド溝が形成され、前記第四スライド溝の中には第四スライドブロックがスライドできるように設けられ、前記第四スライドブロックには制御ブロックが固定的に設けられ、前記制御ブロックには前記第一歯車と噛み合っているラックが固定的に設けられている。
【０００６】
前記制御機構は前記伝動空間を含み、前記伝動空間の中にある前記第二回転軸において前記協働輪の前側には第一傘歯車が設けられ、前記第二回転軸において前記第一傘歯車の前側には第二歯車が固定的に設けられ、前記第一ボディーの前端壁には第一ラック溝が固定的に形成され、前記伝動空間の前端壁には第五回転軸が回転できるように設けられ、前記第五回転軸の前部には第三歯車が固定的に設けられ、前記第三歯車が前記第一ラック溝と噛み合っている。
【０００７】
前記第五回転軸の後端には第四歯車が固定的に設けられ、前記第四歯車が前記第二歯車と噛み合っており、前記伝動空間の左端壁には第六回転軸が回転できるように設けられ、前記第六回転軸の左端には第五歯車が固定的に設けられ、前記作業ブロックの左側底端面には第二ラック溝が固定的に形成され、前記第五歯車が前記第二ラック溝と噛み合っており、前記第六回転軸の右端には第二傘歯車が固定的に設けられ、前記第二傘歯車が前記第一傘歯車と噛み合っている。
【０００８】
前記接続機構は、前記第三開口溝を含み、前記第三開口溝の後端には外部接続ブロックが固定的に設けられ、前記外部接続ブロックと前記制御ブロックとの間には第二ばねが連結され、前記挟み取りブロックの前部には第五スライド溝が形成され、前記第五スライド溝の中には第五スライドブロックがスライドできるように設けられ、前記第五スライドブロックと前記制御ブロックとの間には連結ロッドが固定的に設けられている。
【０００９】
前記第五スライド溝の前部には阻みブロックが固定的に設けられ、前記第五スライドブロックと前記リールとの間には線が設けられ、前記第一歯車の後側には曲がりロッドが固定的に連結され、前記曲がりロッドの後端には挟みブロックが固定的に設けられている。
【発明の効果】
【００１０】
有益効果：本願発明は、まず接続機構によってサーバーの間を接続できるケーブルを自動的に挟み、そして制御機構によってケーブルの挟んだ接続機構を接続位置まで移動させ、制御機構が全自動で上方へ移動してから後方へスライドし、本願発明は機能が完備され、反応が速く、移動する過程に、作業効率が高く、一体化程度が高く、また、操作が簡単で安全で速い。
【図面の簡単な説明】
【００１１】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１２】
【図１】図１は本願発明の機械構成略図
【図２】図２は図１のＡ―Ａの構成略図
【図３】図３は図１のＢ―Ｂの構成略図
【図４】図４は図３のＣ―Ｃの構成略図
【発明を実施するための形態】
【００１３】
本願発明であるメインフレームサーバーケーブル接続設備は、第一ボディー５６を含み、前記第一ボディー５６の後端壁には第一スライド溝５８が形成され、前記第一スライド溝１８の中には第一スライドブロック５７がスライドできるように設けられ、前記第一スライドブロック５７の底端面には第二ボディー３１が固定的に設けられ、前記第二ボディー３１の中には伝動空間４７が設けられ、前記伝動空間４７の中には歯車の噛み合いによって本願発明の作動位置を制御する制御機構９１が設けられ、前記伝動空間４７の後端壁には第一モーター３２が固定的に設けられ、前記第一モーター３２の前端面には第一回転軸３３が固定的に設けられ、前記第一回転軸３３の前端壁には位置制限溝３４が固定的に形成され、前記位置制限溝３４の中には第二回転軸３５がスライドできるように設けられ、前記位置制限溝３４の中に位置する前記第二回転軸３５には位置制限ブロック３６が固定的に設けられ、前記伝動空間４７の中の後端面の右側には固定ブロック４９が固定的に設けられ、前記固定ブロック４９の中には第二スライド溝５０が形成され、前記第二スライド溝５０の中には第二スライドブロック５２がスライドできるように設けられ、前記第一ボディー５６の左端壁には第一開口溝５１が形成され、前記第二スライドブロック５２が前記第一開口溝５１の中に延びており、前記固定ブロック４９の左端壁には第三スライド溝４８が形成され、前記第三スライド溝４８の中には第三スライドブロック５５がスライドできるように設けられ、前記第三スライドブロック５５の中には右方へ開口した第二開口溝５４が形成され、前記第二スライドブロック５２の左端の傾斜面は前記第二開口溝５４の中に伸びることができ、前記第三スライドブロック５５の後端面と前記伝動空間４７の後端面との間には第一ばね６２が連結され、前記第三スライドブロック５５の左端面には凹み溝５３が固定的に形成され、前記伝動空間４７の中に位置する前記第二回転軸３５には協働輪３７が固定的に設けられ、前記協働輪３７が前記凹み溝５３と連結され、前記第一開口溝５１の上側には傾斜ブロック６１が固定的に設けられ、
前記第二ボディー３１の上表面には作業ブロック５９がスライドできるように設けられ、前記作業ブロック５９の中には後方へ開口した接続空間１８が左右対称に設けられ、左側の前記接続空間１８を例として、前記接続空間１８の中にはケーブルを接続できる接続機構９０がスライドできるように設けられ、前記接続空間１８の左端壁には第二モーター３０が固定的に設けられ、前記第二モーター３０の左端面には第三回転軸２０が回転できるように設けられ、前記接続空間１８の中の前記第三回転軸２０にはリール１９が固定的に設けられ、前記接続空間１８の後側には挟み取りブロック１５がスライドできるように設けられ、前記挟み取りブロック１５の後端には第三開口溝１０が形成され、前記第三開口溝１０には第四回転軸１２が左右対称に設けられ、前記第四回転軸１２には第一歯車１１が固定的に設けられ、前記第三開口溝１０の中において前記第四回転軸１２の間には第四スライド溝２５が形成され、前記第四スライド溝２５の中には第四スライドブロック２６がスライドできるように設けられ、前記第四スライドブロック２６には制御ブロック１３が固定的に設けられ、前記制御ブロック１３には前記第一歯車１１と噛み合っているラック１４が固定的に設けられている。
【００１４】
前記制御機構９１は前記伝動空間４７を含み、前記伝動空間４７の中にある前記第二回転軸３５において前記協働輪３７の前側には第一傘歯車３８が設けられ、前記第二回転軸３５において前記第一傘歯車３８の前側には第二歯車４２が固定的に設けられ、前記第一ボディー１０の前端壁には第一ラック溝４４が固定的に形成され、前記伝動空間４７の前端壁には第五回転軸４６が回転できるように設けられ、前記第五回転軸４６の前部には第三歯車４５が固定的に設けられ、前記第三歯車４５が前記第一ラック溝４４と噛み合っており、前記第五回転軸４６の後端には第四歯車４３が固定的に設けられ、前記第四歯車４３が前記第二歯車４２と噛み合っており、前記伝動空間４７の左端壁には第六回転軸４０が回転できるように設けられ、前記第六回転軸４０の左端には第五歯車３９が固定的に設けられ、前記作業ブロック５９の左側底端面には第二ラック溝６０が固定的に形成され、前記第五歯車３９が前記第二ラック溝６０と噛み合っており、前記第六回転軸４０の右端には第二傘歯車４１が固定的に設けられ、前記第二傘歯車４１が前記第一傘歯車３８と噛み合っている。
【００１５】
前記接続機構９０は、前記第三開口溝１０を含み、前記第三開口溝１０の後端には外部接続ブロック２３が固定的に設けられ、前記外部接続ブロック２３と前記制御ブロック１３との間には第二ばね２４が連結され、前記挟み取りブロック１５の前部には第五スライド溝２８が形成され、前記第五スライド溝２８の中には第五スライドブロック１６がスライドできるように設けられ、前記第五スライドブロック１６と前記制御ブロック１３との間には連結ロッド２７が固定的に設けられ、前記第五スライド溝２８の前部には阻みブロック１７が固定的に設けられ、前記第五スライドブロック１６と前記リール１９との間には線２９が設けられ、前記第一歯車１１の後側には曲がりロッド２２が固定的に連結され、前記曲がりロッド２２の後端には挟みブロック２１が固定的に設けられている。
【００１６】
本願発明全体の機械作動順序：
１、初期状態に、前記第三スライドブロック５５が前記第一ばね６２によって後方へスライドし、前記凹み溝５３が前記第三スライドブロック５５に駆動されて下方へスライドし、前記凹み溝５３が前記協働輪３７を後方へスライドさせ、前記協働輪３７が後方へスライドすることによって前記第二回転軸３５を後方へスライドさせ、このとき前記第二歯車４２が前記第四歯車４３と噛み合い、前記第一傘歯車３８が前記第二傘歯車４１と噛み合わなく、前記制御ブロック１３が前記第二ばね２４によって後方へスライドし、前記制御ブロック１３が後方へスライドし前記ラック１４によって前記第一歯車１１を外部へ回転させ、このとき前記曲がりロッド２２が前記挟みブロック２１を広げる。
２、前記モーター３２を始動し、前記第一モーター３２が前記第一回転軸３３を回転させ、前記第一回転軸３３の回転によって前記第二回転軸３５を回転させ、前記第二回転軸３５の回転によって前記第二歯車４２を回転させ、前記第二歯車４２の回転によって前記第四歯車４３を回転させ、前記第四歯車４３が回転し前記第五回転軸４６によって第三歯車４５を回転させ、前記第三歯車４５が回転し前記第一ラック溝４４との協働によって前記第二ボディー３１を上方をスライドさせる。
３、前記第二ボディー３１が上方へスライドし前記第二スライドブロック５２を前記第一開口溝５１の中で上方へスライドさせ、前記第二スライドブロック５２が前記傾斜ブロック６１の位置までスライドしたとき、前記第二スライドブロック５２が前記傾斜ブロック６１によって左方へスライドし、前記第二スライドブロック５２の左端傾斜面が前記第二開口溝５４の中に入り、前記第三スライドブロック５５が前方へスライドし、前記第三スライドブロック５５が前方へスライドして前記凹み溝５３と前記協働輪３７の連結によって前記第二回転軸３５を前方へスライドさせ、前記第二回転軸３５が前方へスライドすることによって前記第二歯車４２が前記第四歯車４３と噛み合わなくなり、前記第一傘歯車３８が前記第二傘歯車４１と噛み合い、前記第二回転軸３５が前記第一傘歯車３８を駆動し回転させ、前記第一傘歯車３８が回転し前記第二傘歯車４１を回転させ、前記第二傘歯車４１が回転し前記第六回転軸４０によって前記第五歯車３９を回転させ、前記第五歯車３９が回転し前記第二ラック溝６０との噛み合いによって前記作業ブロック５９を後方へスライドさせ、本願発明の一体化程度が高い。
４、前記第二モーター３０を始動し、前記第二モーター３０が作動し前記第三回転軸２０を回転させ、前記第三回転軸２０が回転し前記リール１９を回転させ、前記リール１９が回転し前記線２９によって前記第五スライドブロック１６を前方へスライドさせ、前記第五スライドブロック１６が前方へスライドし前記連結ロッド２７によって前記制御ブロック１３を前方へスライドさせ、前記制御ブロック１３が前方へスライドし前記ラック１４によって前記第一歯車１１を内側へ回転させ、前記第一歯車１１が内側へ回転し前記曲がりロッド２２を前記挟みブロック２１と共にケーブルを挟ませ、前記作業ブロック５９が上昇して後方へスライドするとき、ケーブルを接続し、本願発明は自動化程度が高く、各機構の伝動協働が緊密であり、エネルギー利用率が高い。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本発明はメインフレームサーバーケーブル接続設備を開示した。
【解決手段】
第一ボディーを含み、前記第一ボディーの後端壁には第一スライド溝が形成され、前記第一スライド溝の中には第一スライドブロックがスライドできるように設けられ、前記第一スライドブロックの底端面には第二ボディーが固定的に設けられ、前記第二ボディーの中には伝動空間が設けられ、前記伝動空間の中には歯車の噛み合いによって本願発明の作動位置を制御する制御機構が設けられ、前記伝動空間の後端壁には第一モーターが固定的に設けられ、前記第一モーターの前端面には第一回転軸が固定的に設けられ、前記第一回転軸の前端壁には位置制限溝が固定的に形成され、前記位置制限溝の中には第二回転軸がスライドできるように設けられている。
【選択図】図１【図１】
0006789481.tif 000002
【図２】
0006789481.tif 000003
【図３】
0006789481.tif 000004
【図４】
0006789481.tif 000005